(57)【要約】【課題】肌に対する圧迫感等の不快感が少なく、かつ、横漏れ等の漏れが生じにくい吸収性物品を提供する。【解決手段】液透過性の表面シート１１と、バックシート１２と、表面シート１１とバックシート１２の間に配置された吸収体１３と、表面シート１１から吸収体１３と反対側に起立する起立部を有する一対の立体ギャザー２０と、液体吸収によって膨潤する粒子状吸収材３０を備え、粒子状吸収材３０は、起立部の内部に形成された内部空間２０Ａに非固定状態で充填され、起立部は、内部空間２０Ａと内側シート２２によって隔離された起立伸縮材２３を有し、起立伸縮材２３の伸縮力によって起立するように構成されている。【選択図】図２
2015188542.tif 000002
【特許請求の範囲】
【請求項１】
着用者の股下から排出される体液を吸収するための吸収性物品であって、
少なくとも一部が液透過性とされた表面シートと、バックシートと、前記表面シートとバックシートの間に配置された吸収体と、前記表面シートから前記吸収体と反対側に起立する起立部を有する立体ギャザーと、液体を吸収することによって膨潤する粒子状吸収材を備え、
前記粒子状吸収材は、前記起立部の内部に形成された内部空間に非固定状態で充填され、
前記起立部は、前記内部空間から隔離された起立伸縮材を有し、該起立伸縮材の伸縮力によって起立するように構成されていることを特徴とする吸収性物品。
【請求項２】
前記起立伸縮材と前記内部空間とが、シートにより隔離されている請求項１に記載の吸収性物品。
【請求項３】
前記起立伸縮材と前記内部空間を隔離するシートに、前記起立伸縮材が接触している請求項２に記載の吸収性物品。
【請求項４】
互いに対向する立体ギャザーを一対以上備え、前記対向する立体ギャザーの起立部は、対向する内側面の少なくとも一部が前記内部空間に対して液透過性とされ、前記内側面の反対側である外側面が前記内部空間に対して液不透過性とされている請求項１〜３のいずれか一項に記載の吸収性物品。
【請求項５】
互いに対向する立体ギャザーを一対以上備え、前記対向する立体ギャザーの起立部は、着用者の股下から、腹側と背側の双方に延在するように形成されている請求項１〜４のいずれか一項に記載の吸収性物品。
【請求項６】
前記内部空間が複数の閉鎖空間に区分されており、前記複数の閉鎖空間の各々に前記粒子状吸収材が充填されている請求項１〜５のいずれか一項に記載の吸収性物品。
【請求項７】
さらに、前記バックシートの前記吸収体と反対側に、着用者の臀部を覆う外装体を備える請求項１〜６のいずれか一項に記載の吸収性物品。
【発明の詳細な説明】
【技術分野】
【０００１】
本発明は、使い捨ておむつ、尿パッド、生理用品等として使用可能な吸収性物品に関する。
【背景技術】
【０００２】
従来、使い捨ておむつ等の吸収性物品では、いわゆる横漏れ防止のため、表裏のシート間に配置された吸収体の側縁近傍に沿って、立体ギャザー（防漏壁）を設けることが行われている。立体ギャザーは、吸収体から離れる方向に立ち上がり、吸収体に吸収し切れない体液や、吸収体に吸収される前の体液が吸収体の側縁から漏れ出ることを防止するものである。立体ギャザーは、例えば、疎水性シート等に吸収体の側縁に沿う方向に伸縮材が取り付けられ、伸縮材の伸縮力により起立するようになっている。
【０００３】
また、立体ギャザー自体に吸収性を持たせることも提案されている。例えば特許文献１では、表裏のシート間に配置された吸収体とは別の吸収体を、立体ギャザーの内部に配置することが提案されている。また、特許文献２では、表裏のシート間に配置された吸収体の両側縁部を、表裏のシートと共に折り曲げて立体ギャザーとすることが提案されている。
立体ギャザー自体に吸収性を持たせると、表裏のシート間に配置された吸収体の吸収力を補うことができる。また、立体ギャザー内部の体液を吸収した吸収体により立体ギャザーの強度が高まるので、立体ギャザーが着用者の肌との接触により折れ曲がりにくくなり、防漏性が高まる。
【先行技術文献】
【特許文献】
【０００４】
【特許文献１】特開２０００−２７１１６９号公報
【特許文献２】特開２００５−２７９０８２号公報
【発明の概要】
【発明が解決しようとする課題】
【０００５】
しかし、特許文献１、２のように、内部に吸収体を有する立体ギャザーは、吸収体を有しない立体ギャザーと比較して、着用者の肌に対する圧迫感が強くなりがちであった。また、着用者の動きが激しい場合の漏れ防止効果は、未だ充分ではなかった。
本発明は、上記事情に鑑みてなされたものであって、肌に対する圧迫感等の不快感が少なく、かつ、横漏れ等の漏れが生じにくい吸収性物品を提供することを課題とする。
【課題を解決するための手段】
【０００６】
上記の課題を達成するために、本発明は以下の構成を採用した。
［１］着用者の股下から排出される体液を吸収するための吸収性物品であって、
少なくとも一部が液透過性とされた表面シートと、バックシートと、前記表面シートとバックシートの間に配置された吸収体と、前記表面シートから前記吸収体と反対側に起立する起立部を有する立体ギャザーと、液体を吸収することによって膨潤する粒子状吸収材を備え、
前記粒子状吸収材は、前記起立部の内部に形成された内部空間に非固定状態で充填され、
前記起立部は、前記内部空間から隔離された起立伸縮材を有し、該起立伸縮材の伸縮力によって起立するように構成されていることを特徴とする吸収性物品。
［２］前記起立伸縮材と前記内部空間とが、シートにより隔離されている［１］に記載の吸収性物品。
［３］前記起立伸縮材と前記内部空間を隔離するシートに、前記起立伸縮材が接触している［２］に記載の吸収性物品。
［４］互いに対向する立体ギャザーを一対以上備え、前記対向する立体ギャザーの起立部は、対向する内側面の少なくとも一部が前記内部空間に対して液透過性とされ、前記内側面の反対側である外側面が前記内部空間に対して液不透過性とされている［１］〜［３］のいずれか一項に記載の吸収性物品。
［５］互いに対向する立体ギャザーを一対以上備え、前記対向する立体ギャザーの起立部は、着用者の股下から、腹側と背側の双方に延在するように形成されている［１］〜［４］のいずれか一項に記載の吸収性物品。
［６］前記内部空間が複数の閉鎖空間に区分されており、前記複数の閉鎖空間の各々に前記粒子状吸収材が充填されている［１］〜［５］のいずれか一項に記載の吸収性物品。
［７］さらに、前記バックシートの前記吸収体と反対側に、着用者の臀部を覆う外装体を備える［１］〜［６］のいずれか一項に記載の吸収性物品。
【発明の効果】
【０００７】
本発明の吸収性物品は、肌に対する圧迫感等の不快感が少なく、かつ、横漏れ等の漏れが生じにくい。
【図面の簡単な説明】
【０００８】
【図１】本発明の第一実施形態に係る使い捨ておむつの平面図である。
【図２】第一実施形態に係る使い捨ておむつのＩ−Ｉ断面図である。
【図３】第一実施形態に係る使い捨ておむつをＩ−Ｉで切断した際の部分斜視図である。
【図４】本発明の第二実施形態に係る使い捨ておむつのＩ−Ｉ断面図である。
【図５】第二実施形態に係る使い捨ておむつをＩ−Ｉで切断した際の部分斜視図である。
【図６】本発明の第三実施形態に係る使い捨ておむつのＩ−Ｉ断面図である。
【図７】本発明の第四実施形態に係る使い捨ておむつのＩ−Ｉ断面図である。
【図８】本発明の第五実施形態に係る使い捨ておむつの展開図である。
【図９】第五実施形態に係る使い捨ておむつのII−II断面図である。
【発明を実施するための形態】
【０００９】
各実施形態の説明に用いる図１〜８は、説明の便宜上、各種伸縮材が伸張した状態の図、すなわち、伸縮材の張力により、立体ギャザー等が縮められていない図としている。また、断面図、及び斜視図においては、厚み方向を誇張すると共に、立体ギャザーを強調した図としている。
また、以下の説明では、便宜上、着用者の背側から腹側に向かう方向（図１と図７の上下方向）を長さ方向と称し、長さ方向と直行する方向（図１と図７の左右方向）を幅方向と称する。
【００１０】
［第一実施形態］
図１〜３に本発明の第一実施形態に係る使い捨ておむつを示す。本実施形態の使い捨ておむつは、表面シート１１と、バックシート１２と、吸収体１３と、一対の立体ギャザー２０と、粒子状吸収材３０と、足回り伸縮材１４と、ウエスト伸縮材１５と、ファスニングテープ１６及びフロントパッチ１７とから概略構成されている。
【００１１】
バックシート１２は、平面視で本実施形態の使い捨て紙おむつの全体に広がっている。図１に示すように、バックシート１２は、着用者の背側を覆う背側部１２Ａ（図示上側）と着用者の腹側を覆う腹側部１２Ｂ（図示下側）の幅方向が広く、その間の着用者の股下を覆う股下部１２Ｃが凹曲線状に切り欠かれた略砂時計状の形状とされている。
吸収体１３も、着用者の背側を覆う背側部１３Ａ（図示上側）と着用者の腹側を覆う腹側部１３Ｂ（図示下側）の幅方向が広く、その間の着用者の股下を覆う股下部１３Ｃが凹曲線状に切り欠かれた略砂時計状の形状とされている。
【００１２】
吸収体１３は、長さ方向がバックシート１２より短く、かつ、全体の幅がバックシート１２より狭くされており、バックシート１２の周縁より内側において、バックシート１２上に配置されている。
吸収体１３の背側部１３Ａと股下部１３Ｃとの境界は、バックシート１２の背側部１２Ａと股下部１２Ｃとの境界よりも、若干背側とされている。吸収体１３の腹側部１３Ｂと股下部１３Ｃとの境界は、バックシート１２の腹側部１２Ｂと股下部１２Ｃとの境界よりも、背側とされている。
図２に示すように、吸収体１３は、吸収体本体１３ａと、その周囲を覆うティッシュ１３ｂとで構成されている。
【００１３】
表面シート１１は、長さ方向がバックシート１２と等しく、幅方向が吸収体１３の股下部１３Ｃより一回り大きい略矩形状である。表面シート１１は、吸収体１３をバックシート１２と反対側から覆うように配置されている。すなわち、吸収体１３は表面シート１１とバックシート１２の間に配置されている。
表面シート１１は、吸収体１３の股下部１３Ｃにおいて、その幅方向が吸収体１３からはみ出ており、そのはみ出た部分において、バックシート１２に接着されている。
表面シート１１は、吸収体１３の背側部１３Ａと腹側部１３Ｂにおいて、その幅方向が吸収体１３より狭く、吸収体１３の幅方向両側が表面シート１１からはみ出ている。吸収体１３の表面シート１１からはみ出た部分は、後述の立体ギャザー２０を構成する外側シート２１により覆われている。
表面シート１１が背側において吸収体１３からはみ出した位置には、ウエスト伸縮材１５が配置されている。ウエスト伸縮材１５は、伸張状態で表面シート１１とバックシート１２との間に配置されており、着用者のウエスト回りに対する密着性を高める役割を担っている。
【００１４】
図１に示すように、一対の立体ギャザー２０（２０ａ、２０ｂ）は、互いに対向し、共に長さ方向に延在している。立体ギャザー２０の内、立体ギャザー２０ａは着用者の股下において右脚周り近傍となるように配置され、立体ギャザー２０ｂは着用者の股下において左脚周り近傍となるように配置されている。
【００１５】
図２に示すように、立体ギャザー２０は、各々、外側シート２１、内側シート２２、起立伸縮材２３とから構成されている。外側シート２１は、幅方向の一端側がバックシート１２の周縁に接着され、略中央部が表面シート１１の吸収体１３からはみ出た部分に接着されている。また、外側シート２１の他端側は表面シート１１から離れて立ち上がり、その先端は曲線状に折り曲げられている。
外側シート２１がバックシート１２に接着されている近傍には、左右各々２本の足回り伸縮材１４が配置されている。足回り伸縮材１４は、伸張状態でバックシート１２に接着されている。足回り伸縮材１４は、バックシート１２の股下部１２Ｃの領域において、長さ方向に延在しており、着用者の足回りに対する密着性を高める役割を担っている。
【００１６】
内側シート２２は、一端側が外側シート２１の表面シート１１から立ち上がった部分に接着され、他端側は曲線状に折り曲げられ、外側シート２１の他端側先端の、折り曲げられた部分の内側に接着されている。内側シート２２の幅方向中央部は、後述のシール部２５を除き外側シート２１に接着されておらず、外側シート２１との間に内部空間２０Ａが形成されるようになっている。
【００１７】
シール部２５は、内部空間２０Ａを長さ方向で複数の閉鎖空間に仕切るように、内側シート２２同士または外側シート２１と内側シート２２とが接着された部分である。
なお、図３に示すように、シール部２５は、外側シート２１が、表面シート１１に接着された部分まで延長されている。
シール部２５は、長さ方向に所定の間隔を空けて複数形成されている。シール部２５により、内部空間２０Ａは、複数の閉鎖空間に区分されている。シール部２５の間隔や数に制限はないが、一つの閉鎖空間の長さが、１０〜１００ｍｍとなるように仕切ることが好ましく、２０〜５０ｍｍとなるように仕切ることがより好ましい。
【００１８】
また、外側シート２１と内側シート２２の、各々の折り曲げられた先端部分の間に、起立伸縮材２３が挟まれている。起立伸縮材２３は外側シート２１と内側シート２２の間に挟まれて立体ギャザー２０の長さ方向に延在し、その両端は、図１に示すように、各々吸収体１３の長さ方向の両端近傍にまで達している。起立伸縮材２３は、伸張状態で外側シート２１と内側シート２２の双方に接着されている。
【００１９】
本実施形態において、起立部２０Ｂは、外側シート２１の表面シート１１から立ち上がった部分と内側シート２２と起立伸縮材２３とから構成されている。起立部２０Ｂの幅方向外側は、基端部２０Ｃとなっている。
起立部２０Ｂの内部に形成された内部空間２０Ａには、粒子状吸収材３０が非固定状態で充填されている。粒子状吸収材３０は、シール部２５で区分された内部空間２０Ａの複数の閉鎖空間の各々に、非固定状態で充填されている。
【００２０】
再び図１に戻り、バックシート１２の背側部１２Ａの幅方向両端には、外側シート２１と反対側にファスニングテープ１６が、各々２つずつ取り付けられている。また、バックシート１２の腹側部１２Ｂの幅方向中央には、外側シート２１と反対側にフロントパッチ１７が設けられている。フロントパッチ１７は、着用時にファスニングテープ１６が貼り直し可能に貼着できるよう、適度な剥離処理がなされたシートで構成されている。
【００２１】
表面シート１１と内側シート２２は、着用者の体液が吸収体１３または粒子状吸収材３０に到達できるよう、液透過性とされている。また、これらは着用者の肌に直接当接するため、良好な肌触り感を備えることが好ましい。
表面シート１１と内側シート２２を形成する材料としては、不織布を採用することが好ましい。不織布の種類としては、スパンボンド、スパンレース、ニードルパンチ、サーマルボンド等の各種製法によって製造された公知の不織布を用いることができる。特に、適度な伸長性を有するため、乾式法で形成した繊維ウエブを、サーマルボンド法によって結合させた不織布が好ましい。サーマルボンド法によって結合させた不織布は、形成した繊維ウエブを、熱で溶融させて繊維を結合させた不織布である。
【００２２】
バックシート１２と外側シート２１は、吸収体１３及び粒子状吸収材３０により保持されている体液が漏れ出さないよう、共に液不透過性とされている。また、これらは、着用時の蒸れを防ぐため、気体透過性であることが好ましい。
バックシート１２と外側シート２１を構成する液不透過性のシートとしては、ポリエチレン、ポリプロピレン、ポリエステルのような熱可塑性樹脂からなるシートが挙げられる。バックシート１２と外側シート２１を構成する液不透過性のシートは、各々単層のシートでも複数層が積層されたシートでもよい。また、バックシート１２と外側シート２１は、液不透過性のシートの最表面側に、手触り感向上等の目的で不織布を積層したものであってもよい。最表面側に積層する不織布としては、表面シート１１と内側シート２２を形成する材料と同様の不織布を用いることができる。
【００２３】
吸収体本体１３ａには、公知の材料を採用することができる。例えば、フラッフパルプ、高吸収性ポリマー、又は親水性シートを、単独で、又は組み合わせて用いることができる。
吸収体本体１３ａは、単層又は複数層のマット状に形成されていることが好ましい。
本実施形態では、ティッシュ１３ｂで吸収体本体１３ａを被包している。そのため、高吸収性ポリマーのように、定型性を保ちにくい材料で吸収体本体１３ａを構成することも可能である。
【００２４】
粒子状吸収材３０は、体液等の液体を吸収すると膨潤する吸収性膨潤材である。吸収性膨潤材としては高吸水性ポリマー（Ｓｕｐｅｒ Ａｂｓｏｒｂｅｎｔ Ｐｏｌｙｍｅｒ；以下、「ＳＡＰ」と記す。）を挙げることができる。ＳＡＰとしては、ポリアクリル酸ナトリウムが好ましい。
【００２５】
粒子状吸収材３０の平均粒子径は、１５０〜７１０μｍであることが好ましく、３００〜５００μｍであることがより好ましい。平均粒子径が小さすぎると、内部空間２０Ａから外部に粒子状吸収材３０が漏れるおそれがある。一方、平均粒子径が大きすぎると、流動性が不充分になる。
ここで、平均粒子径とは、ＪＩＳ  Ｚ８８０１で規定された、ＪＩＳ標準網篩（内径  １５０ｍｍ、深さ４５ｍｍ）を用いて求められる平均粒子径である。
粒子状吸収材３０の粒子径分布は、狭い方が好ましい。粒子径分布が広すぎると、粒子径が小さすぎる粒子状吸収材３０が内部空間２０Ａから外部に漏れるおそれがある。また、粒子径が大きすぎる粒子状吸収材３０が充分な流動性を阻害するおそれがある。
【００２６】
平均粒子径の具体的な測定手順は、以下の通りである。まず、７１０μｍ（２２メッシュ）、５００μｍ（３０メッシュ）、３００μｍ（５０メッシュ）、１５０μｍ（１００メッシュ）の４つの篩を目開きの小さい順に受け皿の上に積み重ねる。
次に、サンプル（粒子状吸収材３０）の５０ｇを秤り取り、最上部の７１０μｍ篩に入れ、蓋をして振とう機（ロータップ式試験機）に取り付け、衝動数１６５回/分、回転数２９０回/分の条件で５分間振とうさせる。
その後、各々の篩および受け皿の上のサンプルの質量を、０．１ｇの単位まで測り、グラフに累積分布を記載して平均粒子径等を求める。
なお、各々の篩および受け皿の上のサンプルの質量の合計量が、初めのサンプル質量（５０ｇ）より２％以上増減していた場合は測定をやり直す。
【００２７】
粒子状吸収材３０の充填量に特に限定はないが、体液を吸収した際に内部空間２０Ａで充分に膨潤できる量とすることが好ましい。換言すれば、内部空間２０Ａの体積は、粒子状吸収材３０が充分膨潤できる体積とすることが好ましい。
一方、体液を吸収した際に内部空間２０Ａで膨潤した粒子状吸収材３０が、外側シート２１と内側シート２２に対して、内側から圧力を付与できる程度とすることが好ましい。換言すれば、内部空間２０Ａの体積は、粒子状吸収材３０が膨潤した際に、空隙が過剰に残らない程度の体積とすることが好ましい。
【００２８】
起立伸縮材２３と足回り伸縮材１４の材料としては、天然ゴム、ポリウレタン系、発泡ポリウレタン系、ポリスチレンなどのスチレン系、ポリエチレンなどのオレフィン系、ポリエステル、スチレンブタジエン等の弾性材料等が用いられる。また、その形状は糸状、帯状などとすることができる。
【００２９】
シートとシートとを接着する手段、シートに対して伸縮材を固定する手段としては、ホットメルト型接着剤等の接着剤の使用、超音波溶着、熱溶着などが採用できる。
ホットメルト型接着剤としては、基本的にベースポリマー、粘着付与剤、軟化剤からなる公知のものを利用することができる。ゴム系、オレフィン系のベースポリマーを用いたものが一般的であるが、その他、コールドグルー、溶剤系等の接着剤を利用することもできる。
【００３０】
本実施形態の使い捨て紙おむつを着用者に着用させるには、背側部１２Ａを着用者の背側の下に置き、股下部１３Ｃで折り返して腹側部１２Ｂを着用者の腹側に当て、この状態でファスニングテープ１６をフロントパッチ１７の適切な位置に貼着する。
【００３１】
本実施形態の使い捨て紙おむつでは、粒子状吸収材３０が非固定状態で内部空間２０Ａに充填されているので、着用者の体の向きに対応して流動可能である。そのため、立体ギャザー２０が着用者の肌を圧迫することによる不快感を軽減できる。特に、粒子状吸収材３０が体液を吸収する前は、粒子状吸収材３０の体積が小さいことから起立部２０Ｂの柔軟性が高く、圧迫による不快感が少ない。
また、粒子状吸収材３０は、着用者の体の下側の量が多くなるように移動するので、体液を受け止めやすい。
また、粒子状吸収材３０が体液を吸収するに従い、外側シート２１と内側シート２２に対する内圧が高まるため、起立伸縮材２３が縮む力と相俟って、起立部２０Ｂの起立性が高まる。そのため、立体ギャザー２０による防漏効果が高い。
【００３２】
起立部２０Ｂは、起立伸縮材２３によって、頂部側の長さ方向の寸法が、基端部２０Ｃ側の長さ方向の寸法よりも相対的に短く縮められることにより起立できる。
本実施形態では、起立伸縮材２３が内側シート２２により粒子状吸収材３０が充填された内部空間２０Ａから隔離されている。起立伸縮材２３が粒子状吸収材３０に接触可能な状態であると、起立伸縮材２３が縮むことにより、起立伸縮材２３表面に形成された皺内に粒子状吸収材３０が入り込んでしまう。皺内に入り込んだ粒子状吸収材３０が体液により膨潤すると、起立伸縮材２３の縮み状態を阻害するため、起立部２０Ｂの起立性が低下してしまう。
本実施形態では、起立伸縮材２３が粒子状吸収材３０と接触しないので、起立伸縮材２３の縮み状態を維持したまま粒子状吸収材３０に体液を吸収させることができる。そのため、起立部２０Ｂの良好な起立性が得られる。
【００３３】
また、本実施形態では、立体ギャザー２０ａと立体ギャザー２０ｂの各々の起立部２０Ｂが長さ方向に延在して対向配置されて（着用者の股下から、腹側と背側の双方に延在するように形成されて）いるので、足回りの両サイドからの横漏れを防止できる。また、対向する各起立部２０Ｂの内側面の一部は、液透過性の内側シート２２のみで形成されているので、体液を内部空間２０Ａ内の粒子状吸収材３０に吸収させることができる。また、対向する各起立部２０Ｂの外側面全体は、液不透過性の外側シート２１のみで、または外側シート２１の内側に内側シート２２が積層されて形成されているので、体液が、内部空間２０Ａから各起立部２０Ｂの幅方向外側に漏れ出ることを防止できる。さらに、折り曲げられた外側シート２１が、各起立部２０Ｂの頂部を超えて内側の一部も覆うため、体液が起立部２０Ｂの頂部から染み出して外側に伝い漏れすることも防止できる。
【００３４】
さらに、本実施形態では、粒子状吸収材３０が、シール部２５で区分された内部空間２０Ａの複数の閉鎖空間の各々に充填されている。そのため、粒子状吸収材３０の流動性を確保しつつ、内部空間２０Ａの長さ方向のいずれかの箇所に、粒子状吸収材３０が過剰に偏ることを防止できる。その結果、過剰な偏りによる着用者の不快感を防止できると共に、長さ方向全体にわたって、防漏効果を発揮できる。
【００３５】
［第二実施形態］
図４、５に本発明の第二実施形態に係る使い捨ておむつを示す。図４、５において、図２、３と同一の構成部材には、同一の符号を付して、その詳細な説明を省略する。
本実施形態の使い捨ておむつは、立体ギャザー２０（２０ａ、２０ｂ）を、立体ギャザー４０（４０ａ、４０ｂ）に変更した点を除き、第一実施形態の使い捨て紙おむつと同様である。したがって、平面図については、符号２０（２０ａ）と符号２０（２０ｂ）を、各々、符号４０（４０ａ）と符号４０（４０ｂ）と、符号２３を符号４３と読み替えて、図１を援用する。
【００３６】
図４に示すように、立体ギャザー４０は、各々、外側シート４１、内側シート４２、起立伸縮材４３（４３ａ〜４３ｅ）とから構成されている。外側シート４１は、幅方向の一端側がバックシート１２の周縁に接着され、略中央部が表面シート１１の吸収体１３からはみ出た部分に接着されている。また、外側シート４１の他端側は表面シート１１から離れて立ち上がり、その先端が表面シート１１近傍まで戻るように略８の字状の軌跡をなして折り曲げられている。
外側シート４１がバックシート１２に接着されている近傍には、左右各々２本の足回り伸縮材１４が配置されている。
【００３７】
内側シート４２は、外側シート４１が表面シート１１から立ち上がった箇所において、一端側が、表面シート１１と外側シート４１との間に挟まれた状態で接着固定され、そこから、外側シート４１の他端側先端に向かって立ち上がっている。そして、外側シート４１の他端側先端から、外側シート４１の折り曲げられた内側に接着されている。内側シート４２の他端は、外側シート４１が表面シート１１から立ち上がった箇所の近傍まで達しており、外側シート４１と同様に略８の字状の軌跡をなしている。
内側シート４２の略８の字状とされた中央部は、後述のシール部４６とされ、その上下に、内部空間４０Ａが形成されている。
【００３８】
シール部４６は、内部空間４０Ａを上下の閉鎖空間に仕切るように、内側シート４２同士が接着された部分である。シール部４６は、図５に示すように、長さ方向に延在している。
また、シール部４６に加えて、シール部４５も形成されている。シール部４５は、内部空間４０Ａを長さ方向で複数の閉鎖空間に仕切るように、内側シート４２同士または外側シート４１と内側シート４２とが接着された部分である。
なお、図５に示すように、シール部４５は、外側シート４１が、表面シート１１に接着された部分まで延長されている。
シール部４５は、長さ方向に所定の間隔を空けて複数形成されている。シール部４５の間隔や数に制限はないが、第一実施形態のシール部２５と同様にすることができる。
シール部４５、４６により、内部空間４０Ａは、上下と長さ方向において、複数の閉鎖空間に区分されている。
【００３９】
また、外側シート４１と、その内側に接着された内側シート４２の間に、起立伸縮材４３（４３ａ〜４３ｅ）が挟まれている。起立伸縮材４３は外側シート４１と内側シート４２の間に挟まれて立体ギャザー４０の長さ方向に延在し、その両端は、図１に示すように、各々吸収体１３の長さ方向の両端近傍にまで達している。起立伸縮材４３は、伸張状態で外側シート４１と内側シート４２の双方に接着されている。
【００４０】
本実施形態において、起立部４０Ｂは、外側シート４１の表面シート１１から立ち上がった部分と内側シート４２と起立伸縮材４３とから構成されている。起立部４０Ｂの幅方向外側は、基端部４０Ｃとなっている。
起立部４０Ｂの内部に形成された内部空間４０Ａには、粒子状吸収材３０が非固定状態で充填されている。粒子状吸収材３０は、シール部４５、４６で区分された内部空間４０Ａの複数の閉鎖空間の各々に、非固定状態で充填されている。
【００４１】
内側シート４２は、第１実施形態の表面シート１１及び内側シート２２と同様のものが使用できる。また、外側シート４１は、第一実施形態のバックシート１２及び外側シート２１と同様のものが使用できる。また、起立伸縮材４３としては、第一実施形態の起立伸縮材２３等と同様の材質で構成された適宜の伸縮力のものを使用することができる。シートとシートとを接着する手段、シートに対して伸縮材を固定する手段も、第一実施形態と同様である。
【００４２】
本実施形態の使い捨て紙おむつも、粒子状吸収材３０が非固定状態で内部空間４０Ａに充填されているので、着用者の不快感が少なく、かつ、立体ギャザー４０による防漏効果が高い。また、起立伸縮材４３が内側シート４２により粒子状吸収材３０が充填された内部空間４０Ａから隔離されているので、起立部４０Ｂの良好な起立性が得られる。
また、本実施形態でも、立体ギャザー４０ａと立体ギャザー４０ｂの各々の起立部４０Ｂが長さ方向に延在して対向配置されているので、足回りの両サイドからの横漏れを防止できる。
【００４３】
また、対向する各起立部４０Ｂの内側面の一部は、液透過性の内側シート４２のみで形成されているので、体液を内部空間４０Ａ内の粒子状吸収材３０に吸収させることができる。また、対向する各起立部４０Ｂの外側面全体は、液不透過性の外側シート４１のみで、または外側シート４１の内側に内側シート４２が積層されて形成されているので、体液が、内部空間４０Ａから各起立部４０Ｂの幅方向外側に漏れ出ることを防止できる。さらに、外側シート４１が、各起立部４０Ｂの頂部を超えて内側の表面シート１１近傍まで覆うため、体液が起立部４０Ｂの頂部から染み出して伝い漏れすることも防止できる。
【００４４】
さらに、本実施形態では、粒子状吸収材３０が、シール部４５、４６で区分された内部空間４０Ａの複数の閉鎖空間の各々に充填されている。そのため、粒子状吸収材３０の流動性を確保しつつ、内部空間４０Ａの長さ方向、または上下方向のいずれかの箇所に、粒子状吸収材３０が過剰に偏ることを防止できる。その結果、過剰な偏りによる着用者の不快感を防止できると共に、長さ方向全体にわたって、防漏効果を発揮できる。
【００４５】
［第三実施形態］
図６に本発明の第三実施形態に係る使い捨ておむつを示す。図６において、図２と同一の構成部材には、同一の符号を付して、その詳細な説明を省略する。
本実施形態の使い捨ておむつは、立体ギャザー２０（２０ａ、２０ｂ）を、立体ギャザー５０（５０ａ、５０ｂ）に変更した点を除き、第一実施形態の使い捨て紙おむつと同様である。したがって、平面図については、符号２０（２０ａ）と符号２０（２０ｂ）を、各々、符号５０（５０ａ）と符号５０（５０ｂ）と、符号２３を符号５３と読み替えて、図１を援用する。
【００４６】
図６に示すように、立体ギャザー５０は、各々、外側シート５１、内側シート５２、起立伸縮材５３（５３ａ〜５３ｃ）とから構成されている。外側シート５１は、幅方向の一端側がバックシート１２の周縁に接着され、略中央部が表面シート１１の吸収体１３からはみ出た部分に接着されている。また、外側シート４１の他端側は表面シート１１から離れて立ち上がり、その先端は曲線状に折り曲げられている。
外側シート５１がバックシート１２に接着されている近傍には、左右各々２本の足回り伸縮材１４が配置されている。
【００４７】
内側シート５２は、外側シート５１が表面シート１１から立ち上がった近傍において、一端側が、表面シート１１に接着固定され、そこから、外側シート５１の他端側先端に向かって立ち上がっている。そして、外側シート５１の他端側先端から、外側シート５１の折り曲げられた内側に接着されている。
内側シート５２の幅方向中央部は外側シート５１に接着されておらず、外側シート５１との間に内部空間５０Ａが形成されるようになっている。
【００４８】
また、外側シート５１と、その内側に接着された内側シート５２の間に、起立伸縮材５３（５３ａ〜５３ｃ）が挟まれている。起立伸縮材５３は外側シート５１と内側シート５２の間に挟まれて立体ギャザー５０の長さ方向に延在し、その両端は、図１に示すように、各々吸収体１３の長さ方向の両端近傍にまで達している。起立伸縮材５３は、伸張状態で外側シート５１と内側シート５２の双方に接着されている。
【００４９】
本実施形態において、起立部５０Ｂは、外側シート５１の表面シート１１から立ち上がった部分と内側シート５２と起立伸縮材５３から構成されている。起立部５０Ｂの幅方向外側は、基端部５０Ｃとなっている。
起立部５０Ｂの内部に形成された内部空間５０Ａには、粒子状吸収材３０が非固定状態で充填されている。
【００５０】
内側シート５２は、第１実施形態の表面シート１１及び内側シート２２と同様のものが使用できる。また、外側シート５１は、第一実施形態のバックシート１２及び外側シート２１と同様のものが使用できる。また、起立伸縮材５３としては、第一実施形態の起立伸縮材２３等と同様の材質で構成された適宜の伸縮力のものを使用することができる。シートとシートとを接着する手段、シートに対して伸縮材を固定する手段も、第一実施形態と同様である。
【００５１】
本実施形態の使い捨て紙おむつも、粒子状吸収材３０が非固定状態で内部空間５０Ａに充填されているので、着用者の不快感が少なく、かつ、立体ギャザー５０による防漏効果が高い。また、起立伸縮材５３が内側シート５２により粒子状吸収材３０が充填された内部空間５０Ａから隔離されているので、起立部５０Ｂの良好な起立性が得られる。
また、本実施形態でも、立体ギャザー５０ａと立体ギャザー５０ｂの各々の起立部５０Ｂが長さ方向に延在して対向配置されているので、足回りの両サイドからの横漏れを防止できる。
【００５２】
また、対向する各起立部５０Ｂの内側面の一部は、液透過性の内側シート５２のみで形成されているので、体液を内部空間５０Ａ内の粒子状吸収材３０に吸収させることができる。また、対向する各起立部５０Ｂの外側面全体は、液不透過性の外側シート５１のみで、または外側シート５１の内側に内側シート５２が積層されて形成されているので、体液が、内部空間５０Ａから各起立部５０Ｂの幅方向外側に漏れ出ることを防止できる。さらに、外側シート５１が、各起立部５０Ｂの頂部を超えて内側の一部も覆うため、体液が起立部５０Ｂの頂部から染み出して伝い漏れすることも防止できる。
【００５３】
［第四実施形態］
図７に本発明の第四実施形態に係る使い捨ておむつを示す。図７において、図２と同一の構成部材には、同一の符号を付して、その詳細な説明を省略する。
本実施形態の使い捨ておむつは、立体ギャザー２０（２０ａ、２０ｂ）を、立体ギャザー９０（９０ａ、９０ｂ）に変更した点を除き、第一実施形態の使い捨て紙おむつと同様である。したがって、平面図については、符号２０（２０ａ）と符号２０（２０ｂ）を、各々、符号９０（９０ａ）と符号９０（９０ｂ）と、符号２３を符号９３と読み替えて、図１を援用する。
【００５４】
図７に示すように、立体ギャザー９０は、各々、外側シート９１、起立伸縮材９３とから構成されている。外側シート９１は、幅方向の一端側がバックシート１２の周縁に接着され、略中央部が表面シート１１の吸収体１３からはみ出た部分に接着されている。また、外側シート９１の他端側は表面シート１１から離れて立ち上がり、その先端が表面シート１１まで戻るように折り曲げられている。外側シート９１の他端側先端は表面シート１１に接着されている。
外側シート９１がバックシート１２に接着されている近傍には、左右各々２本の足回り伸縮材１４が配置されている。
【００５５】
外側シート９１の表面シート１１から離れて立ち上がった頂部近傍には、シール部９６が形成されている。シール部９６は、外側シート９１と表面シート１１との間に形成された空間を上下の閉鎖空間に仕切るように、外側シート９１同士が接着された部分である。シール部９６は長さ方向に延在している。
シール部９６の下方に形成された閉鎖空間は内部空間９０Ａとされている。また、シール部９６の上方に形成された閉鎖空間は隔離空間９０Ｄとされている。
【００５６】
隔離空間９０Ｄには、起立伸縮材９３が挿入され、立体ギャザー９０の長さ方向に延在し、その両端は、図１に示すように、各々吸収体１３の長さ方向の両端近傍にまで達している。起立伸縮材９３は、伸張状態で外側シート９１に接着されている。
【００５７】
本実施形態において、起立部９０Ｂは、外側シート９１の表面シート１１から立ち上がった部分と起立伸縮材９３から構成されている。起立部９０Ｂの幅方向外側は、基端部９０Ｃとなっている。
起立部９０Ｂの内部に形成された内部空間９０Ａには、粒子状吸収材３０が非固定状態で充填されている。
【００５８】
外側シート５１は、第一実施形態のバックシート１２及び外側シート２１と同様のものが使用できる。また、起立伸縮材９３としては、第一実施形態の起立伸縮材２３等と同様の材質で構成された適宜の伸縮力のものを使用することができる。シートとシートとを接着する手段、シートに対して伸縮材を固定する手段も、第一実施形態と同様である。
【００５９】
本実施形態の使い捨て紙おむつも、粒子状吸収材３０が非固定状態で内部空間９０Ａに充填されているので、着用者の不快感が少なく、かつ、立体ギャザー５０による防漏効果が高い。また、起立伸縮材５３が挿入された隔離空間９０Ｄがシール部９６により粒子状吸収材３０が充填された内部空間９０Ａから隔離されているので、起立部９０Ｂの良好な起立性が得られる。
また、本実施形態でも、立体ギャザー９０ａと立体ギャザー９０ｂの各々の起立部９０Ｂが長さ方向に延在して対向配置されているので、足回りの両サイドからの横漏れを防止できる。
【００６０】
また、対向する各起立部９０Ｂの下端は、表面シート１１に接しているので、１１を伝って体液を内部空間９０Ａ内の粒子状吸収材３０に吸収させることができる。また、対向する各起立部９０Ｂの外側面全体は、液不透過性の外側シート９１のみで形成されているので、体液が、内部空間９０Ａから各起立部９０Ｂの幅方向外側に漏れ出ることを防止できる。さらに、外側シート９１が、各起立部５０Ｂの頂部を超えて内側も覆うため、体液が起立部５０Ｂの頂部から染み出して伝い漏れすることも防止できる。
【００６１】
［第五実施形態］
図８、９に本発明の第五実施形態に係る使い捨ておむつを示す。本実施形態の使い捨ておむつは、表面シート６１と、バックシート６２と、吸収体６３と、一対の立体ギャザー７０（７０ａ、７０ｂ）と、粒子状吸収材３０と、外装体８０とから、概略構成されている。
本実施形態の使い捨ておむつは、外装体８０における着用者の背側を覆う背側部８０Ａ（図示上側）の幅方向の両端部と着用者の腹側を覆う腹側部８０Ｂ（図示下側）の幅方向両端部が予め接合されている、いわゆるパンツ型使い捨ておむつである。
【００６２】
図８に示すように、外装体８０は、背側部８０Ａ（図示上側）と腹側部８０Ｂ（図示下側）の幅方向が広く、その間の着用者の股下を覆う股下部８０Ｃが凹曲線状に切り欠かれた略砂時計状の形状とされている。
また、背側部８０Ａの左右両端部には接合部８１ａ、８１ｂが、腹側部８０Ｂの左右両端部には接合部８２ａ、８２ｂが設けられ、接合部８１ａと接合部８２ａ、接合部８１ｂと接合部８２ｂが、各々着用者側を内側として接合されている。
【００６３】
バックシート６２は、略矩形状で、着用者の股下から、腹側と背側の双方に延在するように、外装体８０の着用者側に配置されている。バックシート６２の長さ方向は、外装体８０の長さ方向と一致している。
吸収体６３も略矩形状で、着用者の股下から、腹側と背側の双方に延在するように、バックシート６２の着用者側に配置されている。
吸収体６３は、長さ方向がバックシート６２より短く、かつ、全体の幅がバックシート６２より狭くされており、バックシート１２の周縁より内側において、バックシート６２上に配置されている。
【００６４】
図９に示すように、吸収体６３は、吸収体本体６３ａと、その周囲を覆う上ティッシュ６３ｂ、及び下ティッシュ６３ｃとで構成されている。
すなわち、下ティッシュ６３ｃは吸収体本体６３ａより幅広とされており、吸収体本体６３ａのバックシート６２側を覆うと共に、吸収体本体６３ａの表面シート６１側の両側縁部も覆うように幅方向両側が折り返されている。また、上ティッシュ６３ｂは、吸収体本体６３ａよりやや幅狭とされており、下ティッシュ６３ｃの両側の折り返し部と重なるように、吸収体本体６３ａの表面シート６１側に載せられている。上ティッシュ６３ｂと下ティッシュ６３ｃの重なり部分は、接着剤により接着されている。
【００６５】
表面シート６１は、平面視の形状と大きさがバックシート６２とほぼ等しい略矩形状である。表面シート６１は、吸収体６３をバックシート６２と反対側から覆うように配置され、その周囲の吸収体６３からはみ出た部分は、バックシート６２に接着されている。すなわち、吸収体６３は表面シート６１とバックシート６２の間に配置されている。
【００６６】
図８に示すように、一対の立体ギャザー７０（７０ａ、７０ｂ）は、互いに対向し、吸収体６３の両側縁に沿って、共に長さ方向に延在している。立体ギャザー７０の内、立体ギャザー７０ａは着用者の股下において右脚周り近傍となるように配置され、立体ギャザー７０ｂは着用者の股下において左脚周り近傍となるように配置されている。
【００６７】
図９に示すように、立体ギャザー７０は、各々、外側シート７１、内側シート７２、起立伸縮材７３、基端部伸縮材７４とから構成されている。外側シート７１は、幅方向の一端側がバックシート６２の周縁の下側に回り込んで、バックシート６２と外装体８０との間に挟まれた状態で接着固定されている。また、略中央部が表面シート６１の吸収体６３からはみ出た部分に接着されている。また、外側シート７１の他端側は表面シート６１から離れて立ち上がり、その先端は曲線状に折り曲げられている。
外側シート７１がバックシート６２の下側に回り込む位置には、基端部伸縮材７４が配置されている。基端部伸縮材７４は、伸張状態で外側シート７１に接着されている。基端部伸縮材７４は、吸収体６３の側縁に沿って長さ方向に延在しており、着用者の体の背側から股下を経由して腹側に至る曲面に対して吸収体６３を沿わせる役割を担っている。
【００６８】
内側シート７２は、一端側が外側シート７１の表面シート６１から立ち上がった部分に接着され、他端側は曲線状に折り曲げられ、外側シート７１の他端側先端の、折り曲げられた部分の内側に接着されている。内側シート７２の幅方向中央部は、外側シート７１に接着されておらず、外側シート７１との間に内部空間７０Ａが形成されるようになっている。
【００６９】
また、外側シート７１と内側シート７２の、各々の折り曲げられた先端部分の間に、起立伸縮材７３が挟まれている。起立伸縮材７３は外側シート７１と内側シート７２の間に挟まれて立体ギャザー７０の長さ方向全体に延在している。起立伸縮材７３は、伸張状態で外側シート７１と内側シート７２の双方に接着されている。
【００７０】
本実施形態において、起立部７０Ｂは、外側シート７１の表面シート６１から立ち上がった部分と内側シート７２と起立伸縮材７３とから構成されている。起立部７０Ｂの幅方向外側は、基端部７０Ｃとなっている。
起立部７０Ｂの内部に形成された内部空間７０Ａには、粒子状吸収材３０が非固定状態で充填されている。
【００７１】
外装体８０は、バックシート６２の吸収体６３と反対側に配置され、バックシート６２の周縁の下側に回り込んでいる外側シート７１に接着されている。
外装体８０は、インナーシート８２とアウターシート８３と、これらのシート間に配置された多数の外装伸縮材８４（８４ａ〜８４ｈ）で構成されている。外装伸縮材８４は、インナーシート８２とアウターシート８３の一方または両方に伸張状態で固定されている。
【００７２】
本実施形態では、図８に示すように、外装伸縮材８４として、腹側ウエスト伸縮材８４ａ、腹側胴周り伸縮材８４ｂ、背側ウエスト伸縮材８４ｃ、背側胴周り伸縮材８４ｄ、腹側股間伸縮材８４ｅ、背側股間伸縮材８４ｆを備えている。これらは、各々外装体８０の幅方向を横断するように配置されている。
また、外装伸縮材８４として、腹側脚周り伸縮材８４ｇが、腹側胴周り伸縮材８４ｂの一部及び腹側股間伸縮材８４ｅと交差しながら、腹側の一方の脚周りから股間を経由して他方の脚周りに至るように配置されている。
【００７３】
また、背側脚周り伸縮材８４ｈが、背側胴周り伸縮材８４ｄの一部及び背側股間伸縮材８４ｆと交差しながら、背側の一方の脚周りから股間を経由して、他方の脚周りに至るように配置されている。
なお、腹側股間伸縮材８４ｅと背側股間伸縮材８４ｆとは、過剰な締め付けが局部的に生じないよう、腹側脚周り伸縮材８４ｇまたは背側脚周り伸縮材８４ｈと交差する近傍で適宜切断されている。
【００７４】
表面シート６１及び内側シート７２は、各々第１実施形態の表面シート１１及び内側シート２２と同様のものが使用できる。また、バックシート６２、外側シート７１、及びインナーシート８２とアウターシート８３は、何れも第一実施形態のバックシート１２及び外側シート２１と同様のものが使用できる。また、吸収体本体６３ａは、第一実施形態の吸収体本体１３ａと同様のものが使用できる。
起立伸縮材７３その他の伸縮材としては、第一実施形態の起立伸縮材２３等と同様の材質で構成された適宜の伸縮力のものを使用することができる。
シートとシートとを接着する手段、シートに対して伸縮材を固定する手段も、第一実施形態と同様である。
【００７５】
本実施形態の使い捨て紙おむつも、粒子状吸収材３０が非固定状態で内部空間７０Ａに充填されているので、着用者の不快感が少なく、かつ、立体ギャザー７０による防漏効果が高い。また、起立伸縮材７３が内側シート７２により粒子状吸収材３０が充填された内部空間７０Ａから隔離されているので、起立部７０Ｂの良好な起立性が得られる。
また、本実施形態でも、立体ギャザー７０ａと立体ギャザー７０ｂの各々の起立部５０Ｂが長さ方向に延在して対向配置されているので、足回りの両サイドからの横漏れを防止できる。
【００７６】
また、対向する各起立部７０Ｂの内側面の一部は、液透過性の内側シート７２のみで形成されているので、体液を内部空間７０Ａ内の粒子状吸収材３０に吸収させることができる。また、対向する各起立部７０Ｂの外側面全体は、液不透過性の外側シート７１のみで、または外側シート７１の内側に内側シート７２が積層されて形成されているので、体液が、内部空間７０Ａから各起立部７０Ｂの幅方向外側に漏れ出ることを防止できる。さらに、外側シート７１が、各起立部７０Ｂの頂部を超えて内側の一部も覆うため、体液が起立部７０Ｂの頂部から染み出して伝い漏れすることも防止できる。
【００７７】
［他の実施形態］
上記第一実施形態、第二実施形態、第三実施形態、第五実施形態では、起立伸縮材と内部空間を隔離するシートに、起立伸縮材が接している構成としたが、起立伸縮材は、隔離するシートから離間して配置されていてもよい。例えば第一実施形態の外側シート２１の先端側を折り曲げずに内側シート２２より上方に延伸し、延伸した先端に起立伸縮材２３を配置してもよい。
また、隔離するシートは、液透過性でも液不透過性でもよい。また、起立伸縮材と内部空間を隔離するものは、シートに限られない。例えば、第四実施形態のシール部９１のようなシール部や、基材に固定された吸収材であってもよい。
【００７８】
また、上記第一実施形態、第二実施形態、第三実施形態、第五実施形態では、起立部の対向する内側面の一部を、内部空間に対して液透過性としたが、全部を液透過性としてもよい。また、起立部の対向する内側面の全部を、内部空間に対して液不透過性としてもよい。例えば第三実施形態の内側シート５２を液不透過性とすることができる。この場合、体液は、表面シート１１を経由して内部空間内の粒子状吸収材に到達できる。
また、上記第四実施形態では、外側シート９１全体を液不透過性としたが、内側面の一部のみを液透過性とし、他を液不透過性としてもよい。例えば、液透過性の不織布を部分的に撥水処理することにより、一枚のシートを部分的に液透過性とし、残りを液不透過性とすることができる。外側シート９１の内側面の一部を液透過性とした場合、外側シート９１の他端側先端は、表面シート１１ではなく、外側シート９１が表面シート１１から離れて立ち上がった部分に接着してもよい。
【００７９】
また、上記第一実施形態〜第四実施形態では、表面シート１１が吸収体１３全体を覆わず、吸収体１３の一部が表面シート１１の幅方向においてはみ出る態様としたが、表面シート１１を吸収体１３より一回り大きい略砂時計状とし、表面シート１１で吸収体１３の全体を覆うようにしてもよい。
また、上記各実施形態では、何れもバックシートを液不透過性としたが、例えば第五実施形態のように、さらに液不透過性のシート（外装体８０）を積層する場合は、液透過性のバックシートとしてもよい。
【００８０】
また、上記各実施形態では、何れも一対の立体ギャザーを有する構成としたが、立体ギャザーの数に制限はなく、例えば、各実施形態の立体ギャザーの外側に、さらに、一対の立体ギャザーを形成してもよい。
また、立体ギャザーは、必ずしも対とする必要はない。また、必ずしも着用者の股下から、腹側と背側の双方に延在するように形成されていなくてもよい。例えば、背側のウエストからの漏れが懸念される場合は、吸収体の背側端部に沿って、幅方向に立体ギャザーを設けてもよい。
また、上記実施形態では、何れも起立部が吸収体の内側に傾いて起立する態様としたが、吸収体の外側に傾いて起立しても、垂直に起立しても差し支えない。
【００８１】
また、上記各実施形態では、少なくとも着用者の股下となる部分において吸収体の幅方向周縁位置に起立部を形成したが、起立部の位置は、吸収体の幅方向周縁位置の内側でも外側でもよい。
また、起立部は直線状に延在させなくてもよく、例えば、第一実施形態の起立部２０Ｂを、略砂時計状の吸収体１３の幅方向周縁に沿って形成してもよい。
【００８２】
また、内部空間を複数の閉鎖空間に区分するか否かは任意であり、例えば、第一実施形態と第二実施形態において、シール部を設けずに、単一の内部空間としてもよい。また、第三実施形態、第四実施形態、第五実施形態において第一実施形態または第二実施形態と同様のシール部を設け、内部空間を複数の閉鎖空間に区分してもよい。
また、内部空間を長さ方向で複数の閉鎖空間に区分するシール部を設ける場合、シール部の幅方向両端をどこまで延長するかについては特に制限がない。例えば、外側シートの幅方向外縁にまでシール部２５やシール部４５を延長してもよい。
【００８３】
また、第一実施形態〜第四実施形態では、ファスニングテープを用いて着用者に着用させる態様としたが、これらの実施形態の立体ギャザーを、いわゆるパンツ型の使い捨ておむつに適用してもよい。また、第五実施形態のように、臀部を覆う外装体を有する構成を、ファスニングテープを用いて着用者に着用させる使い捨ておむつに適用してもよい。
【００８４】
また、本発明の吸収性物品は使い捨て紙おむつには限定されず、尿パッド、生理用品等として使用可能である。
本発明の吸収性物品の外形は、その用途に応じて適宜設定すれば良い。上記各実施形態のように使い捨て紙おむつの場合は、バックシートまたは外装体を、平面視で、または展開した状態で、着用者の臀部全体を覆うことができる略砂時計状とすることが好ましい。
また、例えば尿パッドや生理用品の場合は、バックシートまたは外装体を、平面視で、または展開した状態で、着用者の下着内に配置できる大きさで、略砂時計状や矩形状とすることが好ましい。
また、尿パッドや生理用品等では、着用者の下着に貼着するための粘着層と剥離シートを、バックシート側に設けることが好ましい。
【符号の説明】
【００８５】
１１…表面シート、
１２…バックシート、
１３，６３…吸収体、
１４…足回り伸縮材、
１６…ファスニングテープ、
１７…フロントパッチ、
２０，４０，５０，７０，９０…立体ギャザー、
２０Ａ，４０Ａ，５０Ａ，７０Ａ，９０Ａ…内部空間、
２０Ｂ，４０Ｂ，５０Ｂ，７０Ｂ，９０Ｂ…起立部、
２０Ｃ，４０Ｃ，５０Ｃ，７０Ｃ，９０Ｃ…基端部、
９０Ｄ…隔離空間、
２１，４１，５１，７１，９１…外側シート、
２２，４２，５２，７２…内側シート、
２３，４３，５３，７３，９３…起立伸縮材、
２５，４５，４６，９６…シール部、
３０…粒子状吸収材、
７４…基端部伸縮材、
８０…外装体、
８１…インナーシート、
８２…アウターシート８３、
８４…外装伸縮材
【図１】
2015188542.tif 000003
【図２】
2015188542.tif 000004
【図３】
2015188542.tif 000005
【図４】
2015188542.tif 000006
【図５】
2015188542.tif 000007
【図６】
2015188542.tif 000008
【図７】
2015188542.tif 000009
【図８】
2015188542.tif 000010
【図９】
2015188542.tif 000011